(57)【要約】【課題】大きな力を要さずに、片手で簡単に蓋部の開放が可能であると共に、構造が簡単で製造コストが小さく、且つ重量が軽量な収納容器を提供する。  【解決手段】開口部を有する収納ケース部と、上記開口部を開閉可能に被覆しうる蓋部と、上記収納ケース部に取り付けられた第一の磁石部材と、上記蓋部において、上記開口部を上記蓋部で閉止した場合に上記第一の磁石部材と対向する位置に取り付けられ、上記第一の磁石部材に吸着しうる第二の磁石部材とを備え、上記第一の磁石部材と上記第二の磁石部材は、上記第一の磁石部材と上記第二の磁石部材との間に磁性吸着力を作用させ、互いに吸着させることにより上記蓋部を閉止させる収納容器であって、上記第一の磁石部材を移動させることにより、上記第一の磁石部材と上記第二の磁石部材の磁石体との間に磁性反発力を作用させ、上記第二の磁石部材と上記第一の磁石部材との吸着状態を解除し、上記蓋部が上記収納ケースと離間させ蓋部を開放する構成とする。【選択図】図１
2010155024.tif 000002
【特許請求の範囲】
【請求項１】
開口部を有する収納ケース部と、上記開口部を開閉可能に被覆しうる蓋部と、上記収納ケース部に取り付けられた第一の磁石部材と、上記蓋部において、上記開口部を上記蓋部で閉止した場合に上記第一の磁石部材と対向する位置に取り付けられ、上記第一の磁石部材に吸着しうる第二の磁石部材とを備え、上記第一の磁石部材と上記第二の磁石部材は、上記第一の磁石部材と上記第二の磁石部材との間に磁性吸着力を作用させ、互いに吸着させることにより上記蓋部を閉止させる収納容器であって、
上記第一の磁石部材を移動させることにより、上記第一の磁石部材と上記第二の磁石部材の磁石体との間に磁性反発力を作用させ、上記第二の磁石部材と上記第一の磁石部材との吸着状態を解除し、上記蓋部が上記収納ケースと離間させ蓋部を開放することを特徴とする収納容器。
【請求項２】
上記第一の磁石部材と上記第二の磁石部材とは、上記蓋部を閉止した状態においては、上記第一の磁石部材が有する磁力線の向きと、上記第二の磁石部材が有する磁力線の向きが同方向を示すように配置されることによって磁性吸着力が作用して互いに吸着されると共に、
上記第一の磁石部材を移動させ、上記第一の磁石部材が有する磁力線の向きと上記第二の磁石部材が有する磁力線の向きを異方向となるようにすることによって磁性反発力が作用し、上記磁性反発力によって上記蓋部が上方に浮き上がり、上記収納ケースと上記蓋部とが離間した状態に保持されることを特徴とする請求項１記載の収納容器。
【請求項３】
上記第二の磁石部材と上記第一の磁石部材とは、上記蓋部を閉止した状態において、互いに異極が対向するように配置されていることを特徴とする請求項２記載の収納容器。
【請求項４】
上記収納ケース部は全体薄型略直方体に形成されると共に、上記蓋部は平面略長方形に形成され、
上記第一の磁石部材は上記収納ケース部の幅方向内方に移動可能に形成され、
上記第一の磁石部材を、上記収納ケース部の幅方向内方に移動させることによって上記第一の磁石部材と上記第二の磁石部材との間に磁性反発力を作用させることを特徴とする請求項１記載の収納容器。
【請求項５】
上記第一の磁石部材は、磁石体と上記磁石体を保持する磁石固定部材とから形成されると共に、
上記第二の磁石部材は、上記蓋部の幅方向端部に配設された磁石体と上記磁石体を上記蓋部に固定する固定部とから形成され、
上記磁石固定部材は、上記収納ケース部の側面部の厚さ方向端部に設けられた収納部に、上記収納ケース部内方へ傾倒可能に軸支されていることを特徴とする請求項４記載の収納容器。
【請求項６】
上記収納部は、上記収納ケース部の側面部の内側に設けられ、上記磁石固定部材には、上記収納部内に配置される磁石固定部材本体と上記磁石固定部材本体から上記収納ケース部の幅方向外方に突出する突起部とが配設され、
上記突起部を上記収納ケース部の幅方向内方に押し入れることによって上記磁石固定部材が上記収納ケース部の幅方向内方に傾倒し、上記突起部の角部が上記第二の磁石部材を上方に押圧することを特徴とする請求項５記載の収納容器。
【請求項７】
上記突起部は上記磁石固定部材本体の上端部に連設され、上記蓋部が上記収納ケース部の開口部を閉止した場合には、上記収納ケース部の側面部に形成された切欠部を介して上記収納ケース部の側面部外方に突出配置され、上記磁石固定部材本体及び突起部の上面は上記収納ケース部の側面部の上端縁と同一面上に配置されることを特徴とする請求項７記載の収納容器。
【請求項８】
上記収納ケース部は厚さ方向両側に収納部を有すると共に、上記開口部は上記収納ケースの上面部及び下面部に設けられ、
上記第一の磁石部材は、上記収納ケース部の側面部において厚さ方向両端部に配設される共に、
上記第二の磁石部材は、上記蓋部の幅方向両端部に配設されていることを特徴とする請求項１〜７いずれか１項記載の収納容器。
【請求項９】
上記収納容器は筆記具ケースであることを特徴とする請求項１〜８いずれか１項記載の収納容器。
【発明の詳細な説明】
【技術分野】
【０００１】
本発明は収納容器に係り、特に収納ケース部に取り付けられている第一の磁石部材と蓋部に取り付けられている第二の磁石部材とを吸着されることにより、上記収納ケース部の開口部が閉止されると共に、上記第一の磁石部材を移動させることで、上記第一の磁石部材と上記第二の磁石部材との吸着が解除され、蓋部を開放しうる収納容器に関するものである。
【背景技術】
【０００２】
収納ケース部と、上記収納ケース部を被覆する蓋部とを備え、上記収納ケース部に取り付けられた磁石部材と、上記蓋部に取り付けられ上記磁石部材に吸着しうる金属部材とを吸着させることで、上記蓋部によって上記収納ケース部の開口部を開閉可能に閉止する収納容器は、筆記具ケース等に従来から使用されている。
以下に、収納容器が筆記具ケースである場合を例に従来技術を説明する。
図５に示すように、従来の筆記具ケース７０は、全体略直方体の箱体として形成された収納ケース部７１と、上記収納ケース部７１の下面部７２から長さ方向一方側面部７３、及び上面開口部７４を外方から被覆し、上記上面開口部７４を開閉可能に閉止しうる平面長方形に形成された蓋部７５と、上記収納ケース部７１の幅方向端部に設けられた磁石部材７６と、上記蓋部７５の幅方向端部に取り付けられ、上記磁石部材７６と磁性吸着力によって吸着し、上記蓋部７５を閉止状態に固定する金属部材７７とから形成されている。
上記蓋部７５の開放操作は、一方の手で上記収納ケース部７０を把持して固定し、他方の手で、蓋部７５の金属部材７７若しくはその近傍を把持し、磁性吸着力に抗して上記蓋部７５を上方に持ち上げることで行われる。
従って、蓋部７５の開放操作には両手が必要であり、机上作業時等においては上記蓋部７５の開放のために、作業を中断する必要があり、非常に煩わしいという不具合を有していた。
【０００３】
上記の不具合を解決するため、片手で開閉作業が可能な筆記具ケースが提案されている（特許文献１）。
図６は、筆記具ケース８０を収納ケース部８１と蓋部８５とに分解した状態の斜視図を示している。
図６に示すように、上記特許文献１にかかる筆記具ケース８０は、全体略直方体に形成された収納ケース部８１と、上記収納ケース部８１の下面部８２から長さ方向一方側面部８３、及び上面開口部８４を外方から被覆し、上記上面開口部８４を開閉可能に閉止しうる平面長方形状に形成された蓋部８５と、上記収納ケース部８１の幅方向一端部の長さ方向中央部に配設された磁石部材８６と、上記蓋部８５の幅方向一方端縁部８７に取り付けられ、上記磁石部材８６に吸着しうる金属部材８８と、一端部が上記収納ケース部８１の下面部８２の長さ方向略中央部９０に固定されると共に、上記収納ケース部８１の長さ方向一方側面部８３を経由し、他端部が上記蓋部８５の幅方向一方端縁に設けられた溝部１００に挿通されて固定され、上記蓋部８５を開放方向に付勢する細長板状の板ばね１０１とから形成されている。
また、図７に示すように、上記磁石部材８６は、所定幅を有する角筒部８９と、上記角筒部８９に挿入され、各辺部に突起部９１ａ、９１ｂ、９１ｃ、９１ｄ、９２ａ、９２ｂ、９２ｃ、９２ｄを有する四角形板状に形成された磁石板９１、９２と、上記磁石板９１、９２を幅方向外方から固定しうる固定板９３と、上記磁石板９１、９２、及び固定板９３の中央部に設けられた孔部９４、９５、９６を貫通する回転軸９７と上記回転軸９７の一端部に設けられた摘み部９８と、上記摘み部９８と上記固定板９３との間に配設されると共に、上記回転軸９７に挿通されて上記固定板９３を上記角筒部８９の内方に付勢するスプリング９９とから形成されている。
上記磁石板９１、９２の突起部９１ａ、９１ｂ、９１ｃ、９１ｄ、９２ａ、９２ｂ、９２ｃ、９２ｄは、上記角筒部８９の側面部に設けられた細孔８９ａ、８９ｂ、８９ｃ、８９ｄから突出して配置される。
図８は、上記筆記具ケース８０の長さ方向中央部における幅方向断面図である。
図８に示すように、上記磁石部材８６は、上記収納ケース部８１の幅方向一端部の長さ方向中央部に設けられ、直方形箱状に形成された収納部１０２に収納され、上記回転軸９７の他端部は上記収納部１０２の幅方向一端側側面１０３の内壁に回転可能に嵌合されている。
また、上記回転軸９７の一端部は上記収納部１０２の幅方向他端側側面１０４を貫通し、幅方向外方に突出して配置され、上記摘み部９８は、上記収納部１０２の外方から、上記回転軸９７の一端部に嵌合され、上記摘み部９８を回動させた場合には、上記回転軸９７を介して上記磁石部材８６を回動可能に形成されている。
【０００４】
図９に示すように、上記摘み部９８を指等で把持し、任意の方向に回転させることによって上記磁石部材８６の角筒部８９が回転すると、上記角筒部８９が上記収納ケース部８１の上面開口部８４の一般面から上方に突出した状態となる。
上記の動作に伴い、上記角筒部８９の角部１０５が、上記蓋部８５の幅方向一方端縁部８７に取り付けられた金属部材８８に当接しつつ上方に押し上げる。
これにより、上記金属部材８８と上記磁石部材８６の磁石板９１、９２との吸着が解除され、上記板ばね１０１の付勢力により、蓋部８５が矢印Ｃの方向に開放されるものである。
【０００５】
しかしながら、図９に示すように、上記特許文献１にかかる筆記具ケース８０は、摘み部９８を指で把持して上記金属部材８８と磁石板９１、９２との吸着力に抗して回転させる必要があるため、大きな力が必要であり、児童や女性等では片手で上記摘み部９８を回転させることが困難であるという不具合を有していた。
また、上記金属部材８８と上記磁石部材８６の吸着が解除された状態においては、上記板ばね１０１の付勢力が無ければ、上記金属部材８８と上記磁石部材とは当接した状態に保持される。
従って、蓋部８５の開放操作を容易にするためは、上記板ばね１０１は必須の構成要素となることから、構造が複雑となり、部品点数が増加することから、製造コストが大きくなると共に、筆記具ケース８０の全体重量が重くなり持ち運び時等に取り扱い難いという不具合をも有していた。
【０００６】
【特許文献１】実開昭５４−３０６９５号のマイクロフィルム
【発明の開示】
【発明が解決しようとする課題】
【０００７】
本発明の課題は、大きな力を要さずに、片手で簡単に蓋部の開放が可能であると共に、構造が簡単で製造コストが小さく、且つ重量が軽量な収納容器を提供することにある。
【課題を解決するための手段】
【０００８】
上記課題を解決するために、請求項１記載の収納容器は、開口部を有する収納ケース部と、上記開口部を開閉可能に被覆しうる蓋部と、上記収納ケース部に取り付けられた第一の磁石部材と、上記蓋部において、上記開口部を上記蓋部で閉止した場合に上記第一の磁石部材と対向する位置に取り付けられ、上記第一の磁石部材に吸着しうる第二の磁石部材とを備え、上記第一の磁石部材と上記第二の磁石部材は、上記第一の磁石部材と上記第二の磁石部材との間に磁性吸着力を作用させ、互いに吸着させることにより上記蓋部を閉止させる収納容器であって、上記第一の磁石部材を移動させることにより、上記第一の磁石部材と上記第二の磁石部材の磁石体との間に磁性反発力を作用させ、上記第二の磁石部材と上記第一の磁石部材との吸着状態を解除し、上記蓋部が上記収納ケースと離間させ蓋部を開放することを特徴とする。
従って、上記蓋部で上記開口部を閉止した状態においては、上記第一の磁石部材と上記第二の磁石部材とが磁性吸着力によって強固に吸着されると共に、上記第一の磁石部材を上記収納ケース部を移動させた場合は、上記第一の磁石部材と上記第二の磁石部材とが磁性反発力によって反発することから、上記蓋部が上記収納ケース部から離間して蓋部が開放される。
【０００９】
また、請求項２記載の収納容器は、上記第一の磁石部材と上記第二の磁石部材とは、上記蓋部を閉止した状態においては、上記第一の磁石部材が有する磁力線の向きと、上記第二の磁石部材が有する磁力線の向きが同方向を示すように配置されることによって磁性吸着力が作用して互いに吸着されると共に、上記第一の磁石部材を移動させ、上記第一の磁石部材が有する磁力線の向きと上記第二の磁石部材が有する磁力線の向きを異方向となるようにすることによって磁性反発力が作用し、上記磁性反発力によって上記蓋部が上方に浮き上がり、上記収納ケースと上記蓋部とが離間した状態に保持されることを特徴とする。
従って、上記第一の磁石部材を移動させることによって、上記第一の磁石部材と上記第二の磁石部材との吸着力と反発力の作用を自由に切り替えることが可能となる。
【００１０】
また、請求項３記載の収納容器は、上記第二の磁石部材と上記第一の磁石部材とは、上記蓋部を閉止した状態において、互いに異極が対向するように配置されていることを特徴とする。
従って、上記開口部を上記蓋部で閉止した状態においては、上記第二の磁石部材の磁力線と、上記第一の磁石部材の磁力線が同一の向きとなることから、互いに吸着する方向に磁性吸着力が作用すると共に、上記第一の磁石部材を移動させた場合には、上記第二の磁石部材の磁力線と上記第一の磁石部材の磁力線とがそれぞれ逆方向となることから、上記第二の磁石部材と上記第一の磁石部材との間で磁性反発力が作用する。
【００１１】
また、請求項４記載の収納容器は、上記収納ケース部は全体薄型略直方体に形成されると共に、上記蓋部は平面略長方形に形成され、上記第一の磁石部材は上記収納ケース部の幅方向内方に移動可能に形成され、上記第一の磁石部材を、上記収納ケース部の幅方向内方に移動させることによって上記第一の磁石部材と上記第二の磁石部材との間に磁性反発力を作用させることを特徴とする。
従って、上記第一の磁石部材を上記収納ケース部の幅方向外方から幅方向内方に向かって移動させるだけで、上記蓋部を開放することが可能となる。
【００１２】
また、請求項５記載の収納容器は、上記第一の磁石部材は、磁石体と上記磁石体を保持する磁石固定部材とから形成されると共に、上記第二の磁石部材は、上記蓋部の幅方向端部に配設された磁石体と上記磁石体を上記蓋部に固定する固定部とから形成され、上記磁石固定部材は、上記収納ケース部の側面部の厚さ方向端部に設けられた収納部に、上記収納ケース部内方へ傾倒可能に軸支されていることを特徴とする。
従って、上記第一の磁石部材を上記収納ケース部の内方に移動させる操作を容易に行うことができる。
【００１３】
また、請求項６記載の収納容器は、上記収納部は、上記収納ケース部の側面部の内側に設けられ、上記磁石固定部材には、上記収納部内に配置される磁石固定部材本体と上記磁石固定部材本体から上記収納ケース部の幅方向外方に突出する突起部とが配設され、上記突起部を上記収納ケース部の幅方向内方に押し入れることによって上記磁石固定部材が上記収納ケース部の幅方向内方に傾倒し、上記突起部の角部が上記第二の磁石部材を上方に押圧することを特徴とする。
従って、片手で上記収納ケース部を把持しつつ、指で上記突起部を上記収納ケース部の幅方向内方に押し入れることで、上記突起部の角部によって上記第二の磁石部材が上方に跳ね上げられて、上記第二の磁石部材と上記第一の磁石部材とが離間し、更に上記第二の磁石部材の磁石体と上記第一の磁石部材の磁石体とが反発し、上記蓋部と上記収納部とが離間した状態に保持されるため、指等で上記蓋部を跳ね上げることで、容易に上記蓋部を開放することができる。
【００１４】
また、請求項７記載の収納容器は、上記突起部は上記磁石固定部材本体の上端部に連設され、上記蓋部が上記収納ケース部の開口部を閉止した場合には、上記収納ケース部の側面部に形成された切欠部を介して上記収納ケース部の側面部外方に突出配置され、上記磁石固定部材本体及び突起部の上面は上記収納ケース部の側面部の上端縁と同一面上に配置されることを特徴とする。
従って、上記蓋部を閉止した場合に、上記蓋部と上記収納ケース部との間に間隙が生じることがない。
【００１５】
また、請求項８記載の収納容器は、上記収納ケース部は厚さ方向両側に収納部を有すると共に、上記開口部は上記収納ケースの上面部及び下面部に設けられ、上記第一の磁石部材は、上記収納ケース部の側面部において厚さ方向両端部に配設される共に、上記第二の磁石部材は、上記蓋部の幅方向両端部に配設されていることを特徴とする。
【００１６】
また、請求項９記載の収納容器は、上記収納容器は筆記具ケースであることを特徴とする。
【発明の効果】
【００１７】
請求項１〜３記載の収納容器にあっては、上記第一の磁石部材移動させることによって、上記第二の磁石部材との間に磁性反発力を生じさせることによって、上記蓋部を開放するため、上記第一の磁石部材を移動させた後は、上記第一の磁石部材と上記第二の磁石部材との間に磁性反発力が作用し、上記収納ケース部と上記蓋部が開放されるため、大きな力を要さずとも、片手で容易に蓋部を開放することが可能な収納容器を提供することが可能である。
また、上記第一の磁石部材と第二の磁石部材以外は、従来の収納容器の構造と同様の構成を有することから、構造が簡単であり、製造コストが小さく、且つ従来の筆記具ケースのように板ばね等の付勢力によって蓋部の開放操作を補助する必要もないため、部品点数が少なく、製品重量が軽量な収納容器を提供することができる。
【００１８】
また、請求項４の収納容器にあっては、上記収納ケース部は全体薄型略直方体に形成されると共に、上記蓋部は平面略長方形に形成され、上記第一の磁石部材は上記収納ケース部の幅方向内方に移動可能に形成され、上記第一の磁石部材を、上記収納ケース部の幅方向内方に移動させることによって上記第一の磁石部材と上記第二の磁石部材との間に磁性反発力を作用させることから、磁性吸着力の方向と、上記第一の磁石部材を移動させる方向が互いに直交する方向となるため、磁性吸着力に直接抗う必要が無く、請求項１の効果に加え、上記磁石固定部材の移動操作がより容易となる。
【００１９】
また、請求項５の収納容器にあっては、上記第一の磁石部材は、磁石体と上記磁石体を保持する磁石固定部材とから形成されると共に、上記第二の磁石部材は、上記蓋部の幅方向端部に配設された磁石体と上記磁石体を上記蓋部に固定する固定部とから形成され、上記磁石固定部材は、上記収納ケース部の側面部の厚さ方向端部に設けられた収納部に、上記収納ケース部内方へ傾倒可能に軸支されていることから、上記第一の磁石部材が移動操作を、より小さな力で行うことができる。
従って、上記蓋部の開閉操作がより行い易くなる。
【００２０】
また、請求項６の収納容器にあっては、上記収納部は、上記収納ケース部の側面部の内側に設けられ、上記磁石固定部材は、上記収納部内に配置される磁石固定部材本体と上記磁石固定部材本体から上記収納ケース部の幅方向外方に突出する突起部とが配設され、上記突起部を上記収納ケース部の幅方向内方に押し入れることによって上記磁石固定部材が上記収納ケース部の幅方向内方に傾倒し、上記突起部の角部が上記第二の磁石部材を上方に押圧することから、上記磁石固定部材の操作を行い易く、また、上記磁石部材と上記第二の磁石部材の吸着が解除されると同時に、磁性反発力によって蓋部が上方に持ち上げられた状態のまま保持されるため、上記第一の磁石部材と上記吸着部材との吸着を解除した後の蓋部の開放操作が容易となる。
【００２１】
また、請求項７記載の収納容器にあっては、上記突起部は上記磁石固定部材本体の上端部に連設され、上記蓋部が上記収納ケース部の開口部を閉止した場合には、上記収納ケース部の側面部に形成された切欠部を介して上記収納ケース部の側面部外方に突出配置され、上記磁石固定部材本体及び突起部の上面は上記収納ケース部の側面部の上端縁と同一面上に配置されることから、従って、上記蓋部を閉止した場合に、上記蓋部と上記収納ケース部との間に間隙が生じることがなく、且つ、上記蓋部を開放した場合であっても、上記収納ケース部の上端縁と上記磁石固定部材本体及び突起部の上面が同一面上に配置されるため、上記蓋部を閉止した状態及び開放した状態のいずれにおいても外観品質が
高い収納容器を提供することが可能となる。
【００２２】
また、請求項８の収納容器にあっては、上記収納ケース部は厚さ方向両側に収納部を有すると共に、上記開口部は上記収納ケースの上面部及び下面部に設けられ、上記第一の磁石部材は、上記収納ケース部の側面部において厚さ方向両端部に配設される共に、上記第二の磁石部材は、上記蓋部の幅方向両端部に配設されていることから、より多くの収納物を効率的に収納しうる収納容器を提供することが可能となる。
また、請求項９記載の収納容器にあっては、上記収納容器が筆記具ケースであることから、より取扱が容易で、且つ軽量な筆記具ケースを提供することが可能となる。
【発明を実施するための最良の形態】
【００２３】
以下、図面を用いて本発明に係る収納容器を、収納ケース部の筆記具ケースに適用した場合を例に本発明の実施の形態について説明する。
図１に示すように、本実施の形態にかかる筆記具ケース１０は、開口部１１を有する収納ケース部１２と、上記開口部１１を開閉可能に被覆しうる蓋部１３と、上記収納ケース部１２に取り付けられた第一の磁石部材１４と、上記蓋部１３において、上記開口部１１を上記蓋部１３で閉止した場合に上記第一の磁石部材１４と対向する位置に取り付けられ、上記第一の磁石部材１４に吸着しうる第二の磁石部材１５とを備えている。
また、図２の（１）及び（２）に示すように、上記第一の磁石部材１４と上記第二の磁石部材１５とは、上記蓋部１３を閉止した状態においては、互いに異極が対向するように配置され、上記第一の磁石部材１４の磁石体１８が有する磁力線１６の向きと、上記第二の磁石部材１５の磁石体２１が有する磁力線１７の向きが同方向を示すように配置されている。
また、図１に示すように、上記収納ケース部１２は全体薄型略直方体に形成されると共に、上記蓋部１３は平面略長方形に形成され、上記第一の磁石部材１４は上記収納ケース部１２の幅方向内方に移動可能に形成されている。
また、上記第一の磁石部材１４は、磁石体１８と上記磁石体１８を保持する磁石固定部材１９とから形成されると共に、図２に示すように、上記第二の磁石部材１５は、上記蓋部１３の幅方向両端部２０に配設された磁石体２１と上記磁石体２１を上記蓋部１３に固定する固定部２２とから形成され、図３に示すように上記磁石固定部材１９は、上記収納ケース部１２の側面部の厚さ方向端部に設けられた収納部２３に、上記収納ケース部１２の内方へ傾倒可能に軸支されている。
また、図２の（１）に示すように、上記収納部２３は、上記収納ケース部１２の側面部の内側に設けられ、上記磁石固定部材１９には、上記収納部内に配置される磁石固定部材本体２４と上記磁石固定部材本体２４から上記収納ケース部１２の幅方向外方に突出する突起部２５とが配設されている。
また、図２（１）に示すように、上記突起部２５は上記磁石固定部材本体２４の上端部に連設され、上記蓋部１３が上記収納ケース部１２の開口部１１を閉止した場合には、上記収納ケース部１２の側面部に形成された切欠部２６を介して上記収納ケース部１２の側面部外方に突出配置され、上記磁石固定部材本体２４及び突起部２５の上面は上記収納ケース部１２の側面部の上端縁３４と同一面上に配置されている。
また、図１に示すように、上記収納ケース部１２は厚さ方向両側に収納部３５，３６を有すると共に、上記開口部１１は上記収納ケースの上面部２７及び下面部２８に設けられ、上記第一の磁石部材１４は、上記収納ケース部１２の側面部の長さ方向略中央部の厚さ方向両端部に配設される共に、上記第二の磁石部材１５は、上記蓋部１３の幅方向両端部２０、２０に配設されている。
【実施例】
【００２４】
以下に、図面を用いて本実施例を筆記具ケースに適用した場合を例に詳細を説明する。
図１は、本実施例に係る筆記具ケース１０において、収納ケース部１２の上面部２７を被覆する蓋部１３を開放した状態を示す全体斜視図である。
図１に示すように上記収納ケース部１２は薄型の直方体に形成され、上記収納ケース部１２の内部には、上記収納ケース部１２の長さ方向側面部２９，３３、幅方向側面部３８，３９、及び上記収納ケース部１２の厚さ方向略中央部に配設された仕切り板部３７によって、上下２つの収納部３５、３６が画成されている。
また、上記蓋部１３は上記収納部の下面部２８、長さ方向側面部３３、上面部２７を夫々外方から被覆し、上記上面部２７側及び下面部２８側に形成された開口部１１、１１を閉止しうる大きさの平面長方形状に形成されている。
また、上記収納ケース部１２の幅方向一方端部の長さ方向略中央部の厚さ方向両端部には、略直方体に形成され、上記第一の磁石部材１４を収納しうる収納部２３、２３が夫々上記収納ケース部の幅方向内方に突出して形成されている。
また、上記蓋部１３の第二の磁石部材部１５は、金属製の薄板部材により形成され、断面略Ｕ字形状に形成された固定部２２と、上記固定部２２の内方に固定された直方体板状の磁石体２１とから形成され、上記蓋部１３の幅方向両端部２０、２０の長さ方向略中央部において、上記蓋部１３の両面部を挟持して固定されている。
また、図２は、本実施例にかかる筆記具ケース１０において、上記収納ケース部１２の上面部２７側に配設された第一の磁石部材１４と、上記第一の磁石部材１４に吸着する第二の磁石部材１５の動作を示す幅方向拡大断面図及び、上記第一の磁石部材１４と上記第二の磁石部材１５の吸着と反発の状態を示す概念図であり、図２中の（１）は上記蓋部１３を閉じた場合、図２中の（２）は上記蓋部１３を開いた場合をそれぞれ示している。
図２に示すように、上記第一の磁石部材１４の磁石体１８の磁力線１６と、上記第二の磁石部材１５の磁石体２１の磁力線１７はいずれもＳ極からＮ極の方向を向いている。
また、上記磁石固定部材１９の突起部２５は、上記第一の磁石部材１４を上記収納部２３内に収納した状態で、上記収納ケース部１２の切欠部２６を介して、長さ方向側面部２９の一般面から幅方向外方に突出して配置されている
また、図３は上記第一の磁石部材１４の拡大斜視図を示している。
図３に示すように、上記第一の磁石部材１４の磁石固定部材１９は合成樹脂からなり、略直方体形状に形成され、長さ方向中央部には、平面板状に形成された磁石体１８が上記磁石固定部材１９の長さ方向に沿って嵌着されている。
【００２５】
上記実施例の構成における作用について、上記筆記具ケース１０の上面部２７側の開口部１１を被覆する蓋部１３を開放する場合を例として、以下、図面を用いて詳細を説明する。
図４に示すように、上記筆記具ケース１０の上面部２７側の開口部１１を被覆する蓋部１３を開放する場合は、上記収納ケース部１２の下面部２８を把持し、指３０によって、上記磁石固定部材１９の突起部２５を、上記収納ケース部１２の幅方向内方に押し入れる。
上記操作によって、図２の（２）に示すように、上記磁石固定部材１９は、上記収納部２３に対する固定軸に沿って形成されたヒンジ部３２を介して上記磁石固定部材本体２４が上記収納ケース部１２の幅方向内方に傾倒する。
この際、上記磁石固定部材１９の角部３１によって、上記蓋部１３に取り付けられている第二の磁石部材１５の固定部２２が上方に跳ね上げられる。
上記蓋部１３が閉じている場合は、図２中（１）に示すように、上記第一の磁石部材１４の磁石体１８の磁力線１６と、上記第二の磁石部材１５の磁石体２１の磁力線１７の向きは一致しており、上記磁石体１８と上記磁石体２１との間には互いに磁性吸着力が作用しているが、図２中（２）に示すように、上記蓋部１３を開いた状態においては、上記第一の磁石部材１４の磁石体１８が上記収納ケース部１２の幅方向内方に向って傾倒するため、上記磁石体１８の上端部において、上記磁石体１８の磁力線１６の向きと、上記第二の磁石部材１５の磁石体２１の磁力線１７とは互いに逆の向きを指している。
従って、上記磁石体１８と磁石体２１との間には磁性反発力が働き、この結果、持ち上げられた上記蓋部１３は、収納ケース部１２から所定の寸法離間して開放した状態に保持される。
更に、図４に示すように、上記操作によって指３０が、上記蓋部１３と上記収納ケース部１２との間に挿入されるため、上記第二の磁石部材１５と上記第一の磁石部材１４との吸着が解除された後に、上記指３０によって上記蓋部１３を上方に跳ね上げることで、上記蓋部１３が大きく開放される。
以上のように、本実施例にかかる筆記具ケース１０においては、上記蓋部１３の開放操作を、上記第一の磁石部材１４を傾倒し、磁性吸着力の方向と対向しない方向にスライドさせることで行うことに加え、上記第一の磁石部材１４と上記第二の磁石部材１５との吸着が解除されると同時に、上記第一の磁石部材１４と上記第二の磁石部材１５との間に磁性反発力が作用することから、磁性吸着力に抗して蓋部を開放する従来の筆記具ケースと比較して、非常に小さな力で上記蓋部１３を開放することが可能である。
また、上記筆記具ケース１０を把持したまま、把持した手の指３０で開放操作が可能であることから、片手で容易に蓋部１３の開放操作に行うことが可能となる。
また、上記磁石固定部材１９は指を離すと、自動的に元の位置に復元されることから、図２の（１）に示すように、上記磁石固定部材本体２４及び突起部２５の上面は上記収納ケース部１２の側面部の上端縁と同一面上に配置される。
従って、上記蓋部１３を開放した状態における外観品質が高く、また、上記蓋部１３を閉止する場合に、上記磁石固定部材１９の角部３１が閉止操作の妨げとなることがない。
更に、従来の筆記具ケースのように、蓋部開放操作の補助部材として、別途板ばねを配設する必要もないことから、構造が簡単で製造コストが小さく、且つ重量が軽量な筆記具ケースを提供することが可能となる。
【００２６】
なお、本実施例においては、収納ケース部１２の上面部２７側及び下面部２８側の両方に開口部１１を有している場合を一例として説明したが、開口部１１が上面部２７側若しくは下面部２８側のいずれか一方に設けられている場合でも、本実施例と同様の作用及び効果を得ることが可能である。
更に、筆記具ケース以外の宝石箱、小物収納箱等の小型の収納容器に適用した場合であっても、得られる作用及び効果は同様である。
【産業上の利用可能性】
【００２７】
本発明は収納容器に係り、特に収納ケース部に取り付けられている第一の磁石部材に蓋部に取り付けられている第二の磁石部材が吸着されることにより、上記収納ケース部の開口部が閉止されると共に、上記第一の磁石部材を移動させることで、上記第一の磁石部材と上記第二の磁石部材との吸着が解除され、蓋部を開放しうる筆記具ケース、宝石箱、小物収納箱等の収納容器に広く適用が可能であり、筆記具ケース適用した場合には特に有効である。
【図面の簡単な説明】
【００２８】
【図１】本発明にかかる収納容器の一実施の形態を示し、実施の形態における筆記具ケースの上面部の蓋部が開放された状態の全体斜視図である。
【図２】本発明に係る収納容器の一実施の形態を示し、実施の形態における筆記具ケースにおいて磁石部材と第二の磁石部材の動作を示す幅方向拡大断面図及び、上記第一の磁石部材と上記第二の磁石部材の吸着と反発の状態を示す概念図ある。
【図３】本発明にかかる収納容器の一実施の形態を示し、実施の形態における筆記具ケースの磁石部材の拡大斜視図である。
【図４】本発明にかかる収納容器の一実施の形態を示し、筆記具ケースの上面部の蓋部を開放する場合の操作を示す拡大斜視図である。
【図５】従来の収納容器の形態を示す全体斜視図である。
【図６】従来の他の収納容器の分解斜視図である。
【図７】従来の他の収納容器の磁石部材の分解斜視図である。
【図８】従来の他の収納容器の蓋部を閉止した状態における幅方向断面図である。
【図９】従来の他の収納容器の蓋部を開放した状態における幅方向断面図である。
【符号の説明】
【００２９】
１０  筆記具ケース
１１  開口部
１２  収納ケース部
１３  蓋部
１４  第一の磁石部材
１５  第二の磁石部材
１６  磁力線
１７  磁力線
１８  磁石体  
１９  磁石固定部材
２０ａ蓋部の幅方向端部
２０ｂ蓋部の幅方向端部
２１  磁石体
２２  固定部
２３  収納部
２４  磁石固定部材本体
２５  突起部
２６  切欠部
２７  収納ケース部上面部
２８  収納ケース部下面部
２９  収納ケース部の長さ方向側面部
３０  指
３１  角部
３２  ヒンジ部
３３  収納ケース部の長さ方向側面部
３４  収納ケース部の側面部の上端縁
３５  収納部
３６  収納部
３７  仕切り板部
３８  収納ケース部の幅方向側面部
３９  収納ケース部の幅方向側面部
７０  筆記具ケース
７１  収納ケース部
７２  収納ケース部下面部
７３  収納ケース部の長さ方向一方側面部
７４  収納ケース部の上面開口部
７５  蓋部
７６  磁石部材
７７  金属部材
８０  筆記具ケース
８１  収納ケース部
８２  収納ケース部の下面部
８３  収納ケース部の長さ方向一方側面部
８４  収納ケース部の上面開口部
８５  蓋部
８６  磁石部材
８７  蓋部の幅方向一端縁部
８８  金属部材
８９  角筒部
９０  収納ケース部の底面部の幅方向中央部
９１  磁石板
９１ａ磁石板の突起部
９１ｂ磁石板の突起部
９１ｃ磁石板の突起部
９１ｄ磁石板の突起部
９２  磁石板
９２ａ磁石板の突起部
９２ｂ磁石板の突起部
９２ｃ磁石板の突起部
９２ｄ磁石板の突起部
９３  固定板
９４  孔部
９５  孔部
９６  孔部
９７  回転軸
９８  摘み部
９９  スプリング
１００溝部
１０１板ばね
１０２磁石部材収納部
１０３磁石部材収納部の幅方向一端側側面
１０４磁石部材収納部の幅方向他端側側面
【図１】
2010155024.tif 000003
【図２】
2010155024.tif 000004
【図３】
2010155024.tif 000005
【図４】
2010155024.tif 000006
【図５】
2010155024.tif 000007
【図６】
2010155024.tif 000008
【図７】
2010155024.tif 000009
【図８】
2010155024.tif 000010
【図９】
2010155024.tif 000011